(57)【特許請求の範囲】
【請求項１】
本体部と補助カバーとを備え、矩形形状とされた柔軟性を有する厚布状材質である本体部は、該本体部の一辺を前縁とし、前縁と平行な一辺を後縁とし、他の二辺を側縁として一方の側縁近傍部における表面に第１固定部を有し、対向する側縁近傍部の本体部裏面に前記第１固定部に係着可能な第２固定部を有し、前記本体部の裏面に剛性を有するネジ座固定部を有し、このネジ座固定部にネジ穴が形成されたネジ部を有するものであり、前記第１固定部と第２固定部を係着させて両側縁を重ねることによりネジ部を外側に配した筒形状とすることを可能とし、前記補助カバーは、長円形平板状の前端保護部と、該平板状の前端保護部の周縁から立ち上がる短円筒状の前端保護壁と、前記前端保護部と同一又は近似する長円形平板状の後端保護部と、該後端保護部の周縁から立ち上がる短円筒状の後端保護壁と、前記前端保護壁と後端保護壁とを連接する帯状の接続部を有し、前記前端保護部、前端保護壁、後端保護部、後端保護壁、及び、接続部は柔軟性を有する厚布状材質を用いて形成され、前記前端保護壁及び後端保護壁の内周が筒形状とされた前記本体部の外周よりも僅かに大きく、前記接続部の長さが前記本体部の前縁と後縁との間の長さに等しいか又は僅かに短くされていることを特徴とする光学遠視装置の保護カバー。
【請求項２】
前記第１固定部及び第２固定部は、面ファスナーであることを特徴とする請求項１に記載した光学遠視装置の保護カバー。
【請求項３】
前記本体部のネジ座固定部の位置に対応する本体部の表面位置には、半円筒形状の胴固定突起を有し、該胴固定突起は前縁及び後縁と直交する方向を半円筒形状の軸方向として本体部に固定されていることを特徴とする請求項１又は請求項２に記載した光学遠視装置の保護カバー。
【請求項４】
前記本体部の前縁から突出する帯状のバンド部を有し、該バンド部の先端又は先端近くにフックを有し、左右の両側縁を重ねるようにして本体部を筒形状とした場合の筒状外面において、該筒形状のバンド部の基部と対向する位置にフック止めを有することを特徴とする請求項１乃至請求項３の何れかに記載した光学遠視装置の保護カバー。
【請求項５】
前記本体部の裏面において、前記本体部の前縁近くに第１係着部を、前記本体部の後縁近くに第２係着部を有し、前記補助カバーの前端保護壁内面に前記第１係着部と係着する本体係着部を、後端保護壁内面に前記第２係着部と係着する本体係着部を有することを特徴とする請求項１乃至請求項４の何れかに記載した光学遠視装置の保護カバー。
【請求項６】
前記後端保護部は、長穴形状とされる開口部をその長円形の長軸位置に合せて有することを特徴とする請求項１乃至請求項５の何れかに記載した光学遠視装置の保護カバー。
【請求項７】
前記後端保護部には、開口部の長さよりも短い長さを横幅とした平板状の開口閉鎖片を有することを特徴とする請求項６に記載した光学遠視装置の保護カバー。
【発明の詳細な説明】
【技術分野】
【０００１】
本発明は、双眼鏡や望遠鏡などの接眼レンズと対物レンズを胴部に備える光学装置の携帯用保護カバーに関するものである。
【背景技術】
【０００２】
今日、バードウォッチングなど、野外で双眼鏡や望遠鏡などの光学遠視装置が多用されている。
【０００３】
この光学遠視装置は、筒状の胴部の先端近傍に１枚又は数枚のレンズを組み合わせた対物レンズを有し、この対物レンズの光軸に光軸を一致させるようにして胴部の後端近傍に複数枚のレンズからなる接眼レンズを有し、遠方の観察物を肉眼で拡大してみることができるものである。
【０００４】
そして、距離の異なる遠方の観察物を明瞭に視認するため、接眼レンズを保持する筒を胴部に対して前後に移行可能として接眼レンズを光軸方向に移動させて観察部にピントを合せるもの、対物レンズ及び接眼レンズを移動させずに胴部の内部に光軸方向に移動可能とする可動レンズを配置してピントを合せるインナーフォーカス方式のものなど、フォーカス調整機構として種々の機構のものがある。
【０００５】
また、胴部が単純な直線円筒状のものの他、プリズムを用いて対物レンズの光軸を胴部内で屈曲させ、光学装置全体の大きさを小型としつつ対物レンズから接眼レンズまでの光路長を長くして高倍率とするなどの高機能を達成するようにしているものもある。
【０００６】
更に、一本の筒に対物レンズと接眼レンズとを内蔵する単胴型のものや、２本の筒状の胴部を左右に有して両眼で観察物を見ることができるようにした双胴型のもの、単胴型であっても一つの対物レンズの光軸をハーフプリズムなどにより分離して接眼レンズを２個設け、両眼で観察することができるようにしたものなど、種々の形式のものがある。
【０００７】
この光学遠視装置である双眼鏡などを野外に携行するに際しては、持ち運びを容易に行い且つ装置本体を損傷させないようにするためにケースを使用することが多く行われている。
【０００８】
このケースは、剛性を有する箱型の収納ケースの他、帆布などの厚手の布や皮革を用いることにより、装置の外形に合わせた形状の柔軟性を有するケースとされるものもある。
【０００９】
この柔軟性を有するケースでは、手軽に装置を携帯することが可能であり、剛性を有する収納ケースでは、装置本体の他、付属品などの備品も同時に収納できる便利性の高いものがある。
【００１０】
又、今日、双眼鏡などの光学遠視装置では、小型高性能化が進み、容易に手に持つことができる大きさであっても、倍率が高くなり、三脚等を用いて固定した状態での使用が可能とされるものがある。
【００１１】
この使用時に固定可能な小型の双眼鏡や望遠鏡では、双眼鏡における基軸の前端面にネジ穴を有し、雄螺子を備える取付け金具を用いて三脚に固定可能とするもの（例えば特許文献１）があり、又、望遠鏡においても胴部下面に三脚取付け部材を備えるもの（例えば特許文献２）がある。
【００１２】
更に、装置本体に三脚用の取付け部材や三脚固定用雌螺子を有しない双眼鏡や望遠鏡などの光学遠視装置を三脚に固定するため、三脚に取付け可能とされ、且つ、装置本体を挟むように載置台と押さえ板とを有し、載置台に光学遠視装置本体の胴部を載置して装置本体の上部から押さえ板により押えるようにする治具も提案されている（例えば特許文献３）。
【先行技術文献】
【特許文献】
【００１３】
【特許文献１】特開平０８−０５０２４８号
【特許文献２】特開２００７−０４７４６４号
【特許文献３】特開平１０−１９６８８５号
【発明の概要】
【発明が解決しようとする課題】
【００１４】
前述のように装置本体の胴部等に三脚取付け部材等を有する光学遠視装置では、視野を安定させて目標物の観察を行うことができるも、装置本体に三脚取付け部材を有しない装置では、別途、冶具を必要とし、該冶具は、携行に不便であり、又、冶具を装置本体に取付ける際に手数を要する等の欠点があった。
【００１５】
本発明は、このような欠点を排除し、装置本体と共に携帯するのに便利であって、容易に三脚取付け部材を有しない光学遠視装置を三脚に固定することができる付属品としての保護カバーを提供するものである。
【課題を解決するための手段】
【００１６】
本発明は、本体部と補助カバーとを備えた光学遠視装置の保護カバーであって、矩形形状とされた柔軟性を有する厚布状材質である本体部は、一辺を前縁とし、前縁と平行な一辺を後縁とし、他の二辺を側縁として一方の側縁近傍部における表面に第１固定部を有し、対向する側縁近傍部の本体部裏面に前記第１固定部に係着可能な第２固定部を有し、本体部裏面に剛性を有するネジ座固定部を有し、このネジ座固定部にネジ穴が形成されたネジ部を有するものであり、前記第１固定部と第２固定部を係着させて両側縁を重ねることによりネジ部を外側に配した筒形状とすることを可能とするものである。
【００１７】
尚、前記第１固定部及び第２固定部は、面ファスナーとすることが好ましい。
【００１８】
また、本体部のネジ座固定部の位置に対応する表面位置には、半円筒形状の胴固定突起を有し、該胴固定突起は前縁及び後縁と直交する方向を半円筒形状の軸方向として本体部に固定されているものである。
【００１９】
更に、本体部の前縁から突出する帯状のバンド部を有し、該バンド部にはフックを有し、左右の両側縁を重ねるようにして本体部を筒形状とした状態における該筒形状の外面において、該筒形状とした本体部のバンド部基部と対向する位置にフック止めを有するものである。
【００２０】
そして、補助カバーは、長円形平板状の前端保護部と、該平板状の前端保護部の周縁から立ち上がる短円筒状の前端保護壁と、前記前端保護部と同一又は近似する長円形平板状の後端保護部と、該後端保護部の周縁から立ち上がる短円筒状の後端保護壁と、前記前端保護壁と後端保護壁とを連接する帯状の接続部を有し、前端保護部、前端保護壁、後端保護部、後端保護壁、及び、接続部は柔軟性を有する厚布状材質を用いて形成され、該補助カバーは、前端保護壁及び後端保護壁の内周が筒形状とされた本体部の外周よりも僅かに大きく、接続部の長さが本体部の前縁と後縁との間の長さに等しいか又は僅かに短くされるものである。
【００２１】
また、本体部の裏面において、前縁近くに第１係着部を、後縁近くに第２係着部を有し、補助カバーの前端保護壁内面に前記第１係着部と係着する本体係着部を、後端保護壁内面に前記第２係着部と係着する本体係着部を有するものである。
【００２２】
更に、後端保護部は、長穴形状とされる開口部をその長円形の長軸位置に合せて有することもある。
【００２３】
そして、後端保護部には、開口部の長さよりも短い長さを横幅とした平板状の開口閉鎖片を有するものである。
【発明の効果】
【００２４】
本発明にかかる保護カバーは、矩形形状とされた柔軟性を有する厚布状材質である本体部の両側縁近くに固定部を有しており、この両固定部を相互に係着させることにより本体部を筒形状として光学遠視装置の胴部を包むことができるため、光学遠視装置の胴部を保護することができると共に、本体部にネジ部を有しているため、光学遠視装置を三脚などに固定することが可能となる。
【００２５】
又、固定部を面ファスナーとすれば、相互の係着剥離が容易であり、光学遠視装置への着脱が容易となると共に、面ファスナーの重なり幅を変化させることにより胴部周辺長の異なる光学遠視装置への着脱も容易に可能となり、更に、双胴型の光学遠視装置の眼幅調整を行った場合にも光学遠視装置の胴部に強く巻きつけることができる。
【００２６】
そして、半円筒形状の胴固定突起を備えることにより、双胴型の光学遠視装置に確実に一定の向きで固定することができ、保護カバーと光学遠視装置とのズレを防止して三脚等に光学遠視装置を固定したとき、視野を安定させることができる。
【００２７】
更に前縁のバンド部のフックをフック止めに係止して筒状とした本体部の前縁を結合することにより、本体部による光学遠視装置胴部の締め付けが弱いときにも光学遠視装置が保護カバーの前方に抜けることを防止できる。
【００２８】
そして、前端保護部や後端保護部等を有する補助カバーを更に有していれば、本体部と合せて光学遠視装置の全体を包み込み、光学遠視装置を損傷から防止することができる。
【００２９】
又、本体部と補助カバーとに係着部を有することにより、補助カバーを本体部に着脱容易とし、補助カバーを本体部に係着させて装置全体を保護し、使用に際しては係着部を外して本体部のみを光学遠視装置に残して光学遠視装置により観察物を容易に観察することができる。
【００３０】
更に、補助カバーの後端保護部に開口部を有することにより、この開口部に光学遠視装置に取付けられている吊下げバンドを貫通させ、吊下げバンドにより光学遠視装置を携行するときにも光学遠視装置全体を損傷から保護することが容易に可能となる。
【００３１】
そして、開口部に開口閉鎖片を有することにより、開口部を大きく形成して吊下げバンドを通すことを容易とし、吊下げバンドを通した後は開口閉鎖片により開口部の大部分を塞ぎ、保護ケース内に異物が侵入することによりケースに収納した光学遠視装置を傷付けることを防止できる。
【図面の簡単な説明】
【００３２】
【図１】光学遠視装置の一例である双眼鏡と、本発明に係るこの双眼鏡の保護カバーを示す図。
【図２】本発明に係る保護カバーの本体部裏面を示す図。
【図３】本発明に係る保護カバーを双眼鏡に取り付けた状態を示す図。
【図４】本発明に係る保護カバーに光学遠視装置である双眼鏡を収納した状態を示す斜視図。
【図５】本発明に係る保護カバーに光学遠視装置である双眼鏡を収納した状態を示す斜視図。
【図６】本発明に係る保護カバーを双眼鏡に装着して双眼鏡を使用可能とした状態を示す図。
【図７】本発明に係る保護カバーを双眼鏡に装着して双眼鏡を三脚に固定した状態を示す図。
【発明を実施するための形態】
【００３３】
本発明を実施するための形態は、矩形形状とされた柔軟性を有する厚布状材質である本体部41を備え、一辺を前縁41aとし、前縁41aと平行な一辺を後縁41bとし、他の二辺を側縁41c,41dとして一方の側縁41d近傍部における表面に第１固定部43として面ファスナーを有し、対向する側縁41c近傍部の本体部41裏面に前記第１固定部43に係着可能な第２固定部44として面ファスナーを有し、本体裏面に剛性を有する板状のネジ座固定部57を有し、このネジ座固定部57にネジ穴59が形成されたネジ部58を有するものであり、前記第１固定部43と第２固定部44を係着させて両側縁41c,41dを重ねることによりネジ部58を外側に配した筒形状とすることを可能とする双眼鏡10の保護カバーである。
【００３４】
また、本体部41のネジ座固定部57の位置に対応する表面位置の略中央には、半円筒形状の胴固定突起55を有し、該胴固定突起55は本体部41の前縁41a及び後縁41bと直交する方向を半円筒形状の軸方向として本体部41に固定されるものである。
【００３５】
更に、本体部41の前縁41aから突出する帯状のバンド部45を有し、バンド部45の先端又は先端近くにフック46を有し、このフック46よりも更にバンド部45の基部側にもフック47を有し、左右の両側縁41c,41dを重ねるようにして本体部41を筒形状とした状態の筒状外面において、該筒形状とした本体部41のバンド部45を取付けている位置と対向する位置となる本体部前縁41aの側縁41d近くにフック止め49を有するものである。
【００３６】
そして、長円形平板状の前端保護部61と、該平板状の前端保護部61の周縁から立ち上がる短円筒状の前端保護壁63と、前記前端保護部61と同一又は近似する長円形平板状の後端保護部67と、該後端保護部67の周縁から立ち上がる短円筒状の後端保護壁69と、前記前端保護壁63と後端保護壁69とを連接する帯状の接続部65を有し、前端保護部61、前端保護壁63、後端保護部67、後端保護壁69、及び、接続部65は柔軟性を有する厚布状材質を用いて形成され、前端保護壁63及び後端保護壁69の内周が筒形状とされた本体部41の外周よりも僅かに大きく、接続部65の長さが本体部41の前縁41aと後縁41bとの間の長さに等しいか又は僅かに短くした補助カバー60を更に備えるものである。
【００３７】
また、本体部41の裏面において、前縁41a近くに第１係着部51を、後縁41b近くに第２係着部52を有し、補助カバー60の前端保護壁63内面に前記第１係着部51と係着する本体係着部77aを、後端保護壁69内面に前記第２係着部52と係着する本体係着部77ｂを有し、第１係着部51と補助カバー60の前端保護壁63内面の本体係着部77aを係着させ、第２係着部52と補助カバー60の後端保護壁69内面の本体係着部77ｂを係着させることにより、補助カバー60を主カバー40に固定可能とするものである。
【００３８】
更に、後端保護部67は、その長円形の長軸位置に合せてこの長軸よりも短い長さの長穴形状とされる開口部71を有し、開口部71の長さよりも短い長さを横幅とした平板状の開口閉鎖片73を有するものである。
【実施例】
【００３９】
本発明に係る光学遠視装置の保護カバーは、図１に示すように、双眼鏡10に使用する保護カバーであって、矩形の平板状とされる主カバー40と、一対の短円筒状の保護壁を対向させた補助カバー60とを備えるものである。
【００４０】
この双眼鏡10は、接眼リング22を一端に備えた胴部11の端部に接眼レンズ21を内蔵し、胴部11の他端には図１には示されない対物レンズを内蔵した双胴型であり、左右の胴部11の前端近傍に設けられたアーム13を前基軸17により屈曲可能に接続し、胴部11の中央後方寄りに設けたアーム13を後基軸により屈曲可能に接続して左右の眼幅を調整可能としているものである。
【００４１】
尚、この双眼鏡10は、後基軸にはフォーカス調整ネジを備えて観察物へのピント調整を可能とし、胴部11の各々の先端に着脱可能な対物レンズカバー33を備え、胴部11の後端には着脱可能とした接眼レンズカバー31を備え、更に胴部11の後端近くには、長さ調整が可能とされる吊下げバンド35の先端が取付けられるものである。
【００４２】
そして、主カバー40は、帆布地を模した不織布等の柔軟性を有する厚布状材質により、図１及び図２に示すように、略矩形の形状とした平板状の本体部41として形成されるものであり、本体部41の一辺を前縁41aとし、前縁41aと平行な対向辺を後縁41bとし、残る二辺を左右の側縁41c,41dとして側縁41c,41dと後縁41bとの角部に切欠を有するものである。
【００４３】
更に、図１に示したように、この本体部41の表面には、左の側縁41dに沿って左の側縁41d近傍部分に第１固定部43として面ファスナーを有し、本体部41の略中央に半円筒形の胴固定突起55を有するものである。
【００４４】
この胴固定突起55は、弾力性を僅かに有する樹脂等であって、本体部41に固定されたものであり、半円筒形の軸方向を前縁41aや後縁41bと直交させるように配置されるものである。
【００４５】
また、この本体部41の前縁41aからは帯状のバンド部45を外方に延設し、バンド部45の先端には主フック46を、主フック46よりもバンド部45の基部側に補助フック47を設けるものである。
【００４６】
そして、本体部41の裏面には、図２に示したように、右の側縁41cに沿って右の側縁41c近傍部分に第２固定部44としての面ファスナーを有し、右の側縁41cと左の側縁41dとを重ねるように本体部41を曲げたとき、第１固定部43と第２固定部44の面ファスナーを相互に係着させて本体部41を筒状とすることができるものである。
【００４７】
更に本体部41の裏面には、本体部41の略中央にネジ座固定部57を有し、このネジ座固定部57の中央にネジ穴59が形成されたネジ部58を固定しているものであり、ネジ座固定部57は、本体部41の前縁41a及び後縁41bの方向に長い矩形形状にして剛性を有する板状態であって、本体部41表面に配置した胴固定突起55の位置に合せ、且つ、大きさも胴固定突起55の幅及び長さと略等しいものとされている。
【００４８】
そして、本体部41裏面において、本体部中央の前縁41a近くには補助カバー60を取付けるための第1係着部51として面ファスナーを、本体部41裏面における略中央の後縁41b近くにも補助カバー60を取り付けるための第２係着部52として面ファスナーを設け、前縁41aと左側縁41dとの角部近くにはフック止め49を設けている。
【００４９】
又、補助カバー60は、主カバー40と同様に柔軟性を有する厚布状材質を用い、図１に示したように、平板状長円形の前端保護部61とこの前端保護部61の周縁から短円筒状に前端保護部61と直交するように立ち上げる前端保護壁63と、前端保護部61と同様に平板状長円形の後端保護部67とこの後端保護部67の周縁から短円筒状に後端保護部67と直交するように立ち上げる後端保護壁69とを有すると共に、前端保護壁63と後端保護壁69とを接続する接続部65を有する形状である。
【００５０】
尚、前端保護部61と後端保護部67とは、略同一形状同一大きさであって、双眼鏡10の並列とされた対物レンズを収納可能な大きさ形状とされるものである。
【００５１】
更に、後端保護部67には、後端保護部67の長軸位置に合せて長穴形状の開口部71を有し、後端保護部67の外面にこの開口部71の両端を残して開口部71を塞ぐことのできる開口閉鎖片73を設けているものである。
【００５２】
この開口閉鎖片73は、長穴形状の開口部71と平行な一辺を有し、この一辺で後端保護部67に固定されて後端保護部67に対して蝶番の如く揺動可能とされ、この一辺から離れた位置で開口部71を越える部分の後端保護部67側の面に面ファスナーを有し、この開口閉鎖片73に設けた面ファスナーと対応する位置の後端保護部67にも面ファスナーを有し、開口閉鎖片73を後端保護部67の表面に重ねた状態を面ファスナーにより維持することができるようにしている。
【００５３】
従って、この主カバー40は、図３に示すように、双眼鏡10の胴部11に巻き付けて右の側縁41cと左の側縁41dとを重ね、第１固定部43と第２固定部44とを重ねて相互の面ファスナーで本体部41の両端を留めるようにして円筒状とすることにより、双眼鏡10の胴部11に固定することができる。
【００５４】
そして、ネジ座固定部57を本体部41の外側として本体部41を双眼鏡10に巻き付け、ネジ座固定部57を双眼鏡10の左右の胴部11の中間に位置させるようにして本体部41の内側に位置する胴固定突起55を左右の胴部11の中間に挿入するように位置させておけば、主カバー40が双眼鏡10の周囲においてずれることを防止することができ、双眼鏡10の胴部11を保護すると共に主カバー40の外面にネジ座固定部57やネジ部58を有することとなり、図７に示すように三脚80等にこの双眼鏡10を取付けることができる。
【００５５】
また、補助カバー60の開口閉鎖片73を後端保護部67の表面から剥がすようにして開口部71全体を開らき、双眼鏡10の吊下げバンド35を開口部71を通した後、開口閉鎖片73を後端保護部67表面に係着させて開口部71の大部分を塞いでおけば、図３に示したように補助カバー60を吊下げバンド35に取付けておくことができる。
【００５６】
そして、前端保護部61を接眼レンズ21や接眼レンズカバー31の前に重ねるようにすれば、図４及び図５に示すように、前端保護部61により対物レンズの前方を、前端保護壁63により双眼鏡10の対物レンズの近辺を、後端保護部67により接眼レンズの後方を、後端保護壁69により接眼レンズ21の近辺を包むように保護し、胴部11を包む主カバー40と合せて双眼鏡10の全体を保護することができる。
【００５７】
尚、主カバー40の前縁41a近くには第１係着部51を備え、主カバー40の後縁41b近くには第２係着部52を備え、補助カバー60の前端保護壁63内面と後端保護壁69内面に本体係着部77a,77ｂを備えているため、第１係着部51と前端保護壁63の本体係着部77aとを係着させ、第２係着部52と後端保護壁69の本体係着部77ｂとを係着させることにより、補助カバー60を主カバー40と一体と状態に維持しておくことができる。
【００５８】
双眼鏡10を使用するに際しては、前端保護壁63の本体係着部77aと第１係着部51との係着を剥がし、後端保護壁69の本体係着部77ｂと第２係着部52との係着を剥がして補助カバー60を吊下げバンド35に沿ってずらすことにより、図３に示したように接眼レンズカバー31や対物レンズカバー33を露出させ、更に、図６に示したように接眼レンズ21や対物レンズを露出させて双眼鏡10を手に保持し、対象物を観察することができる。
【００５９】
そして、双眼鏡10を手に保持して双眼鏡10により対象物を観察し、また、双眼鏡10を目から外して肉眼で対象物を見ることを繰り返す際、目から外した双眼鏡10を手に把持しているとき、図３に示したように、バンド部45の主フック46又は補助フック47をフック止め49に係合させてバンド部45により筒形状とした本体部41の前縁41aを結合しておけば、主カバー40である本体部41による双眼鏡10の胴部11への締め付けが弱い状態であっても、主カバー40を介して把持した双眼鏡10が主カバー40から前方に抜けることを防止できる。
【００６０】
また、長時間の観察に際しては、図７に示したように、主カバー40のネジ部58を三脚の固定ネジに取り付け、双眼鏡10を三脚80で支持して視野を安定させて対象物を観察することができる。
【００６１】
この様に、本実施例の保護カバーは、主カバー40により双眼鏡10の胴部11を保護し、双眼鏡10の携帯や保持に際して胴部11を損傷から守り、双眼鏡10の使用時に際しても柔軟性を有する厚布状材質を胴部11に巻いているのみで支障を生じさせることがなく、主カバー40にネジ部58を備えて双眼鏡10を三脚に固定することも容易に行えるものである。
【００６２】
そして、この主カバー40は、面ファスナーによる第１固定部43と第２固定部44とを相互に係着させて筒状とするに際し、第１固定部43及び第２固定部44が面ファスナーとして所要の面積を有しているため、双眼鏡10の眼幅を調整変化させた場合であっても、常に双眼鏡10の胴部11外周に確実に密着させるように主カバー40を巻きつけることができる。
【００６３】
また、筒形状とした本体部41の内面には半円筒形状の胴固定突起55を備えており、この胴固定突起55を双眼鏡10の左右の胴部11の間に位置させ、主カバー40と双眼鏡10本体とのずれを防ぎ、胴固定突起55の軸方向と双眼鏡10の軸方向を一定とし、主カバー40により双眼鏡10を三脚に固定した場合に視野方向を常に一定としておくことができる。
【００６４】
尚、双眼鏡10がよりコンパクトであれば、胴固定突起55を有しない主カバー40とした場合であっても、双眼鏡10に強く巻きつけておくことにより主カバー40と双眼鏡10とを一体として双眼鏡10を安定させて三脚に取付けることができる。
【００６５】
また、上述の補助カバー60は、前端保護壁63及び後端保護壁69や接続部65を一体として成形することにより補助カバー60全体を一体としているも、必ずしも全体を一体とする場合に限ることなく、平板長円形の前端保護部61とこの前端保護部61の周縁から立設される前端保護壁63による対物レンズ周辺部分の保護カバーと、平板長円形の後端保護部67とこの後端保護部67の周縁から立設される後端保護壁69による接眼レンズ21周辺部分の保護カバーとに分離させて形成することもある。
【００６６】
更に、対物レンズ周辺部分の保護カバーや接眼レンズ21周辺部分の保護カバーを、主カバー40に対して一部を結合させることにより主カバー40と一体とすることもできる。
【００６７】
このように、本実施例の保護カバーは、柔軟性を有する厚布状材質を矩形形状とする本体部41で双眼鏡10等の光学遠視装置の胴部11を包むため、ネジ部58やネジ座固定部57などの剛性を有する部材を備えていても、双胴型の光学遠視装置の左右の胴部11の間にネジ座固定部57などを位置させて双胴型の光学遠視装置の胴部11に確実且つ容易に固定でき、三脚取付け部材を有しない双胴型の光学遠視装置を容易に三脚に固定することができるようにすることができるものであり、双眼鏡10等の双胴型の光学遠視装置に適した保護カバーである。
【００６８】
そして、この主カバー40や補助カバー60に使用する柔軟性を有する厚布状材質は、天然布や化繊の布又は不織布のみでなく、人工皮革など、適宜の靭性と柔軟性を備えた厚手の布と同等のものを含むものである。
【００６９】
尚、図１及び図２に示した主カバー40は、本体部41の左右方向略中央に胴固定突起55やバンド部45、ネジ部58を備えたネジ座固定部57を有しているも、胴固定突起55やバンド部45、ネジ部58を備えたネジ座固定部57は左右の側縁41a,41bから４分の１程度の距離の位置に設け、図３に示したように双胴型の光学遠視装置における左右の胴部の中間で左右の側縁41a,41bを重ねる場合に限ることなく、本体部41の左右の側縁41a,41bを重ねる位置を、双胴型の光学遠視装置における左又は右の胴部の側方外側位置とすることもある。
【符号の説明】
【００７０】
１０  双眼鏡
１１  胴部                        １３  アーム
１７  前基軸
２１  接眼レンズ                  ２２  接眼リング
２７  フォーカス調整ネジ
３１  接眼レンズカバー            ３３  対物レンズカバー
３５  吊下げバンド
４０  主カバー
４１  本体部
４１ａ  前縁                      ４１ｂ  後縁
４１ｃ  右側縁                    ４１ｄ  左側縁
４３  第１固定部                  ４４  第２固定部
４５  バンド部                    ４６  主フック
４７  補助フック                  ４９  フック止め
５１  第１係着部                  ５２  第２係着部
５５  胴固定突起                  ５７  ネジ座固定部
５８  ネジ部                      ５９  ネジ穴
６０  補助カバー
６１  前端保護部                  ６３  前端保護壁
６５  接続部                      ６７  後端保護部
６９  後端保護壁                  ７１  開口部
７３  開口閉鎖片
７７ａ、７７ｂ  本体係着部
８０  三脚
【図１】
0005305479.tif 000002
【図２】
0005305479.tif 000003
【図３】
0005305479.tif 000004
【図４】
0005305479.tif 000005
【図５】
0005305479.tif 000006
【図６】
0005305479.tif 000007
【図７】
0005305479.tif 000008